(57)【要約】【課題】  デジタルコンテンツ利用権のグループ内共有を実現する。【解決手段】  著作権付きデジタルコンテンツの利用権を取得する際に、共同取得を行うグループ情報を形成する利用権取得グループ生成手段０２０１と、利用権取得履歴とデジタルコンテンツ利用権を取得したグループ情報の紐付きを管理する利用権取得履歴管理手段０２０２と、利用者がデジタルコンテンツを利用する際に送信する要求を受信する利用権取得要求受付手段０２０３と、グループに属する各利用者に対してデジタルコンテンツ利用権配信可否を判定する利用権提供判定手段０２０４と、デジタルコンテンツ利用権を生成し配信するデジタルコンテンツ著作権配信装置０１１０に対して、デジタルコンテンツ利用権配信要求を送信する利用権配信要求送信手段０２０５を備える。【選択図】  図２
2010198228.tif 000002
【特許請求の範囲】
【請求項１】
端末装置へ表示画面の提供を行い、認証装置と連携し利用者認証を取り扱うコミュニケーション装置と、
前記端末装置に対して、コンテンツ利用権を配信するコンテンツ著作権配信装置と、
前記端末装置がコンテンツ利用権を取得するための処理を実行するコンテンツ利用権管理装置と、
を備えたコンテンツ利用権管理システムであって、
前記コンテンツ利用権管理装置は、
共同利用を募集する商品について、商品ＩＤ、募集ユーザＩＤ、グループＩＤ、応募終了条件、募集状態を対応して記憶した募集管理テーブルと、
商品ＩＤに対して、商品名、価格を記憶した商品マスターテーブルと、
共同利用が応募されたグループＩＤ、応募ユーザＩＤを対応して記憶する応募管理テーブルと、
商品ＩＤ、グループＩＤ、ユーザＩＤ、利用状態を含む利用権管理テーブルと
を有し、
募集者端末装置は、コンテンツの利用権共同取得を募集するため、コミュニケーション装置から商品ＩＤ、商品名、価格、共同購入条件若しくは応募終了条件を含む共同購入可能な商品一覧を受信すると、その商品一覧を表示し、募集する商品ＩＤ及び応募終了条件を入力し、募集ユーザＩＤ及び商品ＩＤ及び応募終了条件を含む利用権共同取得の募集要求を前記コンテンツ利用権管理装置に送信し、
前記コンテンツ利用権管理装置は、コンテンツの利用権共同取得を募集するための前記募集者端末装置より、募集ユーザＩＤ及び商品ＩＤ及び応募終了条件を含む利用権共同取得の募集要求を受信し、
前記コンテンツ利用権管理装置は、募集要求に従い、募集管理テーブルに、商品ＩＤ、募集ユーザＩＤ、応募終了条件を記憶し、グループＩＤを予め定めた手順で設定し、募集状態を受付中に設定し、
前記コンテンツ利用権管理装置は、応募者端末装置より、応募ユーザＩＤを含む利用権共同取得状態の検索要求を受信すると、前記募集管理テーブルを参照し、募集状態が受付中であるエントリを抽出し、商品ＩＤと募集ユーザＩＤとグループＩＤと応募終了条件と募集状態を求め、前記商品マスターテーブルを参照して、商品ＩＤから商品名と価格を求め、商品ＩＤと募集ユーザＩＤとグループＩＤと応募終了条件と募集状態と商品名と価格を含む検索結果を、前記応募者端末装置に返信し、
前記コンテンツ利用権管理装置は、前記応募者端末装置より、応募ユーザＩＤとグループＩＤを含むグループへの応募要求を受信すると、前記応募管理テーブルにグループＩＤ、応募ユーザＩＤを含む新規エントリを追加し、
前記コンテンツ利用権管理装置は、前記募集管理テーブルを参照し、応募されたグループＩＤに対する応募終了条件を満たさない場合募集状態を受付中のままとし、一方、応募終了条件を満たす場合、募集状態を終了状態に変更し、
前記コンテンツ利用権管理装置は、商品ＩＤ、グループＩＤ、募集状態を含む利用権共同取得応答を、応募前記端末装置に返信し、
前記コンテンツ利用権管理装置は、前記募集管理テーブルを予め定められたタイミング又は周期で参照し、募集状態が終了状態になったエントリの商品ＩＤ、募集ユーザＩＤ、グループＩＤ、応募終了条件を抽出し、前記応募管理テーブルからグループＩＤが同一のひとつ又は複数の応募ユーザを求め、前記商品マスターテーブルから商品ＩＤに対する商品名及び価格を求め、
前記コンテンツ利用権管理装置は、商品ＩＤ、商品名、価格、グループＩＤ、募集ユーザＩＤ、応募終了条件を含む利用権共同取得の可能通知を、前記募集者端末装置及び前記応募者端末装置に通知し、
可能通知を受信した前記募集者端末装置および前記応募者端末装置が、コミュニケーション装置にて該コンテンツ利用権取得権利を取得した際に、前記コンテンツ利用権管理装置は、コミュニケーション装置から、商品ＩＤとグループＩＤを含むコンテンツ利用履歴を受信し、
前記コンテンツ利用権管理装置は、コンテンツ利用履歴のグループＩＤと一致するユーザＩＤを、前記募集管理テーブルおよび前記応募管理テーブルから抽出し、商品ＩＤとグループＩＤとユーザＩＤを前記利用権管理テーブルに登録し、
前記コンテンツ利用権管理装置は、前記募集者端末装置及び前記応募者端末装置に、該コンテンツ利用権取得権利が取得済みである旨の通知を行い、
前記コンテンツ利用権管理装置は、該コンテンツ利用権取得権利が取得済みである前記募集者端末装置又は前記応募者端末装置から、ユーザＩＤを含むコンテンツ利用権の共同取得の受付要求を受信すると、前記利用権管理テーブルを参照し、ユーザＩＤが一致するエントリから商品ＩＤとグループＩＤを抽出し、前記商品マスタテーブルを参照し、前記商品ＩＤが一致するエントリから商品名、価格を取得し、前記募集者端末装置又は前記応募者端末装置に対して、商品ＩＤ、商品名、価格、グループＩＤを含む取得済コンテンツ利用権一覧を応答し、
前記コンテンツ利用権管理装置は、前記募集者端末装置又は前記応募者端末装置より、ユーザＩＤ、商品ＩＤを含む利用権配信要求を受信すると、貸与者数は同時利用者数を超過していないこと、利用権の配信回数は配信利用制限数を超過していないこと、配信期限及び／又は利用期限は有効であることのうち、いずれか一つまたは複数の予め定められた条件に従い、該当ユーザＩＤに対してコンテンツ利用権の貸与を許可とする貸与可否判断を実行し、
前記コンテンツ利用権管理装置は、貸与可否判断の結果が貸与可能である場合は、商品ＩＤと商品名と商品説明と価格とグループＩＤを含む取得可能な利用権一覧を示す利用権配信可否応答を、前記募集者端末装置又は前記応募者端末装置に返信し、
前記コンテンツ利用権管理装置は、前記コンテンツ著作権配信装置に、前記募集者端末装置又は前記応募者端末装置に対し、コンテンツ利用権の配信処理を行わせる
コンテンツ利用権管理システム。
【請求項２】
コミュニケーション装置は、
共同購入可能な商品について、商品ＩＤ、商品名、価格、共同購入条件又は応募終了条件を対応して記憶した商品テーブルを有し、
コンテンツの利用権共同取得を募集するための前記募集者端末装置から、コミュニケーション装置に利用権共同取得の商品検索要求を受信すると、
前記商品テーブルを参照し、共同購入可能な商品について、商品ＩＤ、商品名、価格、共同購入条件若しくは応募終了条件を含む商品一覧を作成し、前記募集者端末装置に送信する
ことを特徴とする請求項１に記載のコンテンツ利用権管理システム。
【請求項３】
コミュニケーション装置は、
コンテンツの利用権共同取得を募集するための前記募集者端末装置から、コミュニケーション装置に利用権共同取得の商品検索要求を受信すると、
前記商品マスターテーブルを参照し、共同購入可能な商品について、商品ＩＤ、商品名、価格、共同購入条件若しくは応募終了条件を含む商品一覧を作成し、前記募集者端末装置に送信する
ことを特徴とする請求項１に記載のコンテンツ利用権管理システム。
【請求項４】
共有利用制約ＩＤに対して、同時利用者数、配信利用制限数、配信利用期限のいずれか又は複数を含む共有利用制約情報を記憶する共有制約テーブル
をさらに備え、
前記利用権管理テーブルは、さらに、ユーザＩＤに対する利用権の配信回数を含み、
前記商品マスターテーブルは、さらに、商品ＩＤに対して共有利用制約ＩＤを含み、
前記コンテンツ利用権管理装置は、前記端末装置より受信した利用権配信要求から商品ＩＤとユーザＩＤを取得し、前記利用権管理テーブルからグループＩＤを抽出し、該当グループＩＤに対応する利用中となる貸与者数を集計し、
前記コンテンツ利用権管理装置は、前記利用権管理テーブルより該当ユーザＩＤに対する利用権の配信回数を抽出し、
前記コンテンツ利用権管理装置は、前記商品マスターテーブルより商品ＩＤをキーに共有利用制約ＩＤを抽出し、前記共有制約テーブルより共有利用制約ＩＤをキーに共有利用制約情報を抽出し、
前記コンテンツ利用権管理装置は、貸与者数、配信回数、共同利用制約情報に従い、前記貸与可否判断を行う
ことを特徴とする請求項１に記載のコンテンツ利用権管理システム。
【請求項５】
端末内利用期限、端末内利用期間のいずれかでも配信期限カラムおよび利用期間に指定された期間を超過する場合、配信期限カラムおよび利用期間を端末内利用制限および端末内利用期間として取り扱うことを特徴とする請求項１に記載のコンテンツ利用権管理システム。
【請求項６】
端末使用制限ＩＤに対して、端末利用回数、端末内利用期限・期間、コピー可否、移動可否を記憶する端末使用制限マスターテーブルをさらに有し、
前記商品マスターテーブルは、さらに、商品ＩＤに対して端末使用制約ＩＤを含み、
前記コンテンツ利用権管理装置は、貸与可能と判断した場合、さらに、前記商品マスタテーブルを参照し、前記商品ＩＤが一致するエントリから端末使用制限ＩＤカラムを抽出し、前記端末使用制限マスターテーブルにて前記端末使用制限ＩＤカラムが一致するエントリを抽出し、端末利用回数カラム、端末内利用期限、端末内利用期間、コピー可否、移動可否のうちいずれか複数を含む端末内制約を取得し、
前記コンテンツ利用権管理装置は、前記コンテンツ著作権配信装置に対し、ユーザＩＤ、商品ＩＤ端末内制約を含む利用権配信要求を送信し、
前記コンテンツ著作権配信装置は、利用権配信要求を受信すると、前記募集者端末装置又は前記応募者端末装置に対し、コンテンツ利用権の配信処理を行う
ことを特徴とする請求項１に記載のコンテンツ利用権管理システム。
【請求項７】
端末装置へ表示画面の提供を行い、認証装置と連携し利用者認証を取り扱うコミュニケーション装置と、
前記端末装置に対して、コンテンツ利用権を配信するコンテンツ著作権配信装置と、
前記端末装置がコンテンツ利用権を取得するための処理を実行するコンテンツ利用権管理装置と、
を備えたコンテンツ利用権管理システムにおける前記コンテンツ利用権管理装置であって、
共同利用を募集する商品について、商品ＩＤ、募集ユーザＩＤ、グループＩＤ、応募終了条件、募集状態を対応して記憶した募集管理テーブルと、
商品ＩＤに対して、商品名、価格を記憶した商品マスターテーブルと、
共同利用が応募されたグループＩＤ、応募ユーザＩＤを対応して記憶する応募管理テーブルと、
商品ＩＤ、グループＩＤ、ユーザＩＤ、利用状態を含む利用権管理テーブルと
を有し、
前記コンテンツ利用権管理装置は、コンテンツの利用権共同取得を募集するための前記募集者端末装置より、募集ユーザＩＤ及び商品ＩＤ及び応募終了条件を含む利用権共同取得の募集要求を受信し、
前記コンテンツ利用権管理装置は、募集要求に従い、募集管理テーブルに、商品ＩＤ、募集ユーザＩＤ、応募終了条件を記憶し、グループＩＤを予め定めた手順で設定し、募集状態を受付中に設定し、
前記コンテンツ利用権管理装置は、応募者端末装置より、応募ユーザＩＤを含む利用権共同取得状態の検索要求を受信すると、前記募集管理テーブルを参照し、募集状態が受付中であるエントリを抽出し、商品ＩＤと募集ユーザＩＤとグループＩＤと応募終了条件と募集状態を求め、前記商品マスターテーブルを参照して、商品ＩＤから商品名と価格を求め、商品ＩＤと募集ユーザＩＤとグループＩＤと応募終了条件と募集状態と商品名と価格を含む検索結果を、前記応募者端末装置に返信し、
前記コンテンツ利用権管理装置は、前記応募者端末装置より、応募ユーザＩＤとグループＩＤを含むグループへの応募要求を受信すると、前記応募管理テーブルにグループＩＤ、応募ユーザＩＤを含む新規エントリを追加し、
前記コンテンツ利用権管理装置は、前記募集管理テーブルを参照し、応募されたグループＩＤに対する応募終了条件を満たさない場合募集状態を受付中のままとし、一方、応募終了条件を満たす場合、募集状態を終了状態に変更し、
前記コンテンツ利用権管理装置は、商品ＩＤ、グループＩＤ、募集状態を含む利用権共同取得応答を、応募前記端末装置に返信し、
前記コンテンツ利用権管理装置は、前記募集管理テーブルを予め定められたタイミング又は周期で参照し、募集状態が終了状態になったエントリの商品ＩＤ、募集ユーザＩＤ、グループＩＤ、応募終了条件を抽出し、前記応募管理テーブルからグループＩＤが同一のひとつ又は複数の応募ユーザを求め、前記商品マスターテーブルから商品ＩＤに対する商品名及び価格を求め、
前記コンテンツ利用権管理装置は、商品ＩＤ、商品名、価格、グループＩＤ、募集ユーザＩＤ、応募終了条件を含む利用権共同取得の可能通知を、前記募集者端末装置及び前記応募者端末装置に通知し、
可能通知を受信した前記募集者端末装置および前記応募者端末装置が、コミュニケーション装置にて該コンテンツ利用権取得権利を取得した際に、前記コンテンツ利用権管理装置は、コミュニケーション装置から、商品ＩＤとグループＩＤを含むコンテンツ利用履歴を受信し、
前記コンテンツ利用権管理装置は、コンテンツ利用履歴のグループＩＤと一致するユーザＩＤを、前記募集管理テーブルおよび前記応募管理テーブルから抽出し、商品ＩＤとグループＩＤとユーザＩＤを前記利用権管理テーブルに登録し、
前記コンテンツ利用権管理装置は、前記募集者端末装置及び前記応募者端末装置に、該コンテンツ利用権取得権利が取得済みである旨の通知を行い、
前記コンテンツ利用権管理装置は、該コンテンツ利用権取得権利が取得済みである前記募集者端末装置又は前記応募者端末装置から、ユーザＩＤを含むコンテンツ利用権の共同取得の受付要求を受信すると、前記利用権管理テーブルを参照し、ユーザＩＤが一致するエントリから商品ＩＤとグループＩＤを抽出し、前記商品マスタテーブルを参照し、前記商品ＩＤが一致するエントリから商品名、価格を取得し、前記募集者端末装置又は前記応募者端末装置に対して、商品ＩＤ、商品名、価格、グループＩＤを含む取得済コンテンツ利用権一覧を応答し、
前記コンテンツ利用権管理装置は、前記募集者端末装置又は前記応募者端末装置より、ユーザＩＤ、商品ＩＤを含む利用権配信要求を受信すると、貸与者数は同時利用者数を超過していないこと、利用権の配信回数は配信利用制限数を超過していないこと、配信期限及び／又は利用期限は有効であることのうち、いずれか一つまたは複数の予め定められた条件に従い、該当ユーザＩＤに対してコンテンツ利用権の貸与を許可とする貸与可否判断を実行し、
前記コンテンツ利用権管理装置は、貸与可否判断の結果が貸与可能である場合は、商品ＩＤと商品名と商品説明と価格とグループＩＤを含む取得可能な利用権一覧を示す利用権配信可否応答を、前記募集者端末装置又は前記応募者端末装置に返信し、
前記コンテンツ利用権管理装置は、前記コンテンツ著作権配信装置に、前記募集者端末装置又は前記応募者端末装置に対し、コンテンツ利用権の配信処理を行わせる
前記コンテンツ利用権管理装置。
【請求項８】
共有利用制約ＩＤに対して、同時利用者数、配信利用制限数、配信利用期限のいずれか又は複数を含む共有利用制約情報を記憶する共有制約テーブル
をさらに備え、
前記利用権管理テーブルは、さらに、ユーザＩＤに対する利用権の配信回数を含み、
前記商品マスターテーブルは、さらに、商品ＩＤに対して共有利用制約ＩＤを含み、
前記コンテンツ利用権管理装置は、前記端末装置より受信した利用権配信要求から商品ＩＤとユーザＩＤを取得し、前記利用権管理テーブルからグループＩＤを抽出し、該当グループＩＤに対応する利用中となる貸与者数を集計し、
前記コンテンツ利用権管理装置は、前記利用権管理テーブルより該当ユーザＩＤに対する利用権の配信回数を抽出し、
前記コンテンツ利用権管理装置は、前記商品マスターテーブルより商品ＩＤをキーに共有利用制約ＩＤを抽出し、前記共有制約テーブルより共有利用制約ＩＤをキーに共有利用制約情報を抽出し、
前記コンテンツ利用権管理装置は、貸与者数、配信回数、共同利用制約情報に従い、前記貸与可否判断を行う
ことを特徴とする請求項７に記載のコンテンツ利用権管理装置。
【請求項９】
端末使用制限ＩＤに対して、端末利用回数、端末内利用期限・期間、コピー可否、移動可否を記憶する端末使用制限マスターテーブルをさらに有し、
前記商品マスターテーブルは、さらに、商品ＩＤに対して端末使用制約ＩＤを含み、
前記コンテンツ利用権管理装置は、貸与可能と判断した場合、さらに、前記商品マスタテーブルを参照し、前記商品ＩＤが一致するエントリから端末使用制限ＩＤカラムを抽出し、前記端末使用制限マスターテーブルにて前記端末使用制限ＩＤカラムが一致するエントリを抽出し、端末利用回数カラム、端末内利用期限、端末内利用期間、コピー可否、移動可否のうちいずれか複数を含む端末内制約を取得し、
前記コンテンツ利用権管理装置は、前記コンテンツ著作権配信装置に対し、ユーザＩＤ、商品ＩＤ端末内制約を含む利用権配信要求を送信し、
前記コンテンツ著作権配信装置に、前記募集者端末装置又は前記応募者端末装置に対し、コンテンツ利用権の配信処理を行わせることを特徴とする請求項６に記載のコンテンツ利用権管理装置。
【請求項１０】
端末装置へ表示画面の提供を行い、認証装置と連携し利用者認証を取り扱うコミュニケーション装置と、
前記端末装置に対して、コンテンツ利用権を配信するコンテンツ著作権配信装置と、
前記端末装置がコンテンツ利用権を取得するための処理を実行するコンテンツ利用権管理装置と、
を備えたコンテンツ利用権管理システムであって、
前記コンテンツ利用権管理装置は、
共同利用を募集する商品について、商品ＩＤ、募集ユーザＩＤ、グループＩＤ、応募終了条件、募集状態を対応して記憶した募集管理テーブルと、
商品ＩＤに対して、商品名、価格を記憶した商品マスターテーブルと、
共同利用が応募されたグループＩＤ、応募ユーザＩＤを対応して記憶する応募管理テーブルと、
商品ＩＤ、グループＩＤ、ユーザＩＤ、利用状態を含む利用権管理テーブルと
を有するコンテンツ利用権管理システムを用いたコンテンツ利用権管理方法であって、
募集者端末装置は、コンテンツの利用権共同取得を募集するため、コミュニケーション装置から商品ＩＤ、商品名、価格、共同購入条件若しくは応募終了条件を含む共同購入可能な商品一覧を受信すると、その商品一覧を表示し、募集する商品ＩＤ及び応募終了条件を入力し、募集ユーザＩＤ及び商品ＩＤ及び応募終了条件を含む利用権共同取得の募集要求を前記コンテンツ利用権管理装置に送信し、
前記コンテンツ利用権管理装置は、コンテンツの利用権共同取得を募集するための前記募集者端末装置より、募集ユーザＩＤ及び商品ＩＤ及び応募終了条件を含む利用権共同取得の募集要求を受信し、
前記コンテンツ利用権管理装置は、募集要求に従い、募集管理テーブルに、商品ＩＤ、募集ユーザＩＤ、応募終了条件を記憶し、グループＩＤを予め定めた手順で設定し、募集状態を受付中に設定し、
前記コンテンツ利用権管理装置は、応募者端末装置より、応募ユーザＩＤを含む利用権共同取得状態の検索要求を受信すると、前記募集管理テーブルを参照し、募集状態が受付中であるエントリを抽出し、商品ＩＤと募集ユーザＩＤとグループＩＤと応募終了条件と募集状態を求め、前記商品マスターテーブルを参照して、商品ＩＤから商品名と価格を求め、商品ＩＤと募集ユーザＩＤとグループＩＤと応募終了条件と募集状態と商品名と価格を含む検索結果を、前記応募者端末装置に返信し、
前記コンテンツ利用権管理装置は、前記応募者端末装置より、応募ユーザＩＤとグループＩＤを含むグループへの応募要求を受信すると、前記応募管理テーブルにグループＩＤ、応募ユーザＩＤを含む新規エントリを追加し、
前記コンテンツ利用権管理装置は、前記募集管理テーブルを参照し、応募されたグループＩＤに対する応募終了条件を満たさない場合募集状態を受付中のままとし、一方、応募終了条件を満たす場合、募集状態を終了状態に変更し、
前記コンテンツ利用権管理装置は、商品ＩＤ、グループＩＤ、募集状態を含む利用権共同取得応答を、応募前記端末装置に返信し、
前記コンテンツ利用権管理装置は、前記募集管理テーブルを予め定められたタイミング又は周期で参照し、募集状態が終了状態になったエントリの商品ＩＤ、募集ユーザＩＤ、グループＩＤ、応募終了条件を抽出し、前記応募管理テーブルからグループＩＤが同一のひとつ又は複数の応募ユーザを求め、前記商品マスターテーブルから商品ＩＤに対する商品名及び価格を求め、
前記コンテンツ利用権管理装置は、商品ＩＤ、商品名、価格、グループＩＤ、募集ユーザＩＤ、応募終了条件を含む利用権共同取得の可能通知を、前記募集者端末装置及び前記応募者端末装置に通知し、
可能通知を受信した前記募集者端末装置および前記応募者端末装置が、コミュニケーション装置にて該コンテンツ利用権取得権利を取得した際に、前記コンテンツ利用権管理装置は、コミュニケーション装置から、商品ＩＤとグループＩＤを含むコンテンツ利用履歴を受信し、
前記コンテンツ利用権管理装置は、コンテンツ利用履歴のグループＩＤと一致するユーザＩＤを、前記募集管理テーブルおよび前記応募管理テーブルから抽出し、商品ＩＤとグループＩＤとユーザＩＤを前記利用権管理テーブルに登録し、
前記コンテンツ利用権管理装置は、前記募集者端末装置及び前記応募者端末装置に、該コンテンツ利用権取得権利が取得済みである旨の通知を行い、
前記コンテンツ利用権管理装置は、該コンテンツ利用権取得権利が取得済みである前記募集者端末装置又は前記応募者端末装置から、ユーザＩＤを含むコンテンツ利用権の共同取得の受付要求を受信すると、前記利用権管理テーブルを参照し、ユーザＩＤが一致するエントリから商品ＩＤとグループＩＤを抽出し、前記商品マスタテーブルを参照し、前記商品ＩＤが一致するエントリから商品名、価格を取得し、前記募集者端末装置又は前記応募者端末装置に対して、商品ＩＤ、商品名、価格、グループＩＤを含む取得済コンテンツ利用権一覧を応答し、
前記コンテンツ利用権管理装置は、前記募集者端末装置又は前記応募者端末装置より、ユーザＩＤ、商品ＩＤを含む利用権配信要求を受信すると、貸与者数は同時利用者数を超過していないこと、利用権の配信回数は配信利用制限数を超過していないこと、配信期限及び／又は利用期限は有効であることのうち、いずれか一つまたは複数の予め定められた条件に従い、該当ユーザＩＤに対してコンテンツ利用権の貸与を許可とする貸与可否判断を実行し、
前記コンテンツ利用権管理装置は、貸与可否判断の結果が貸与可能である場合は、商品ＩＤと商品名と商品説明と価格とグループＩＤを含む取得可能な利用権一覧を示す利用権配信可否応答を、前記募集者端末装置又は前記応募者端末装置に返信し、
前記コンテンツ利用権管理装置は、前記コンテンツ著作権配信装置に、前記募集者端末装置又は前記応募者端末装置に対し、コンテンツ利用権の配信処理を行わせる
コンテンツ利用権管理方法。
【発明の詳細な説明】
【技術分野】
【０００１】
本発明は、コンテンツ利用権管理システム、コンテンツ利用権管理装置及び方法に係り、特に、デジタルコンテンツ利用権の共有する複数利用者の管理、および利用権の管理を行うためのコンテンツ利用権管理システム、コンテンツ利用権管理装置及び方法に関する。
本発明は、例えば、ＰＣ・携帯電話などの端末装置にて音楽・画像・動画・電子書籍などのデジタルコンテンツを利用する際に取得するデジタルコンテンツ利用権の取得状況・利用状況および該デジタルコンテンツを利用するための利用鍵の生成・配信を行うデジタルコンテンツ著作権管理システムであり、複数の利用者が同一のデジタルコンテンツ利用権を共同で取得した際に、該デジタルコンテンツ利用権に対する共同取得者の管理や、該デジタルコンテンツ利用権に設定された制約に則った貸与の可否判定を行うシステムである。
【背景技術】
【０００２】
現在インターネットの普及により、Ｗｅｂサイトより音楽・画像・動画・電子書籍などの様々なデジタルコンテンツを取得し、利用することが可能となった。またデジタルコンテンツのうち、その創造・製作にあたっての著作権を主張するものについては、例えば、暗号化されたデジタルコンテンツとして配信し、デジタルコンテンツを利用するための復号鍵を取得し利用可能とする方式や、デジタルコンテンツを利用するためのブラウザソフトウェアに利用制約をかけ、特定の条件において利用可能とする方式などがある。このように、著作権付きデジタルコンテンツが、デジタルコンテンツ利用権を具象化したデジタルコンテンツ利用権オブジェクトを配信するための様々なデジタルコンテンツ著作権管理方式を利用して配信されている。
【０００３】
デジタルコンテンツ著作権管理方式やデジタルコンテンツの構造については、ＯＭＡ  ＤＲＭ（Ｏｐｅｎ  Ｍｏｂｉｌｅ  Ａｌｌｉａｎｃｅ  Ｄｉｇｉｔａｌ  Ｒｉｇｈｔｓ  Ｍａｎａｇｅｍｅｎｔ）やＭｉｃｒｏｓｏｆｔ社Ｗｉｎｄｏｗｓ（登録商標）  Ｍｅｄｉａ  ＤＲＭといった公知の技術にて規格化されており、それらのデジタルコンテンツの暗号化はＲＳＡ（Ｒｉｖｅｓｔ  Ｓｈａｍｉｒ  Ａｄｌｅｍａｎ）・ＤＥＳ（Ｄａｔａ  Ｅｎｃｒｙｐｔｉｏｎ  Ｓｔａｎｄａｒｄ）・ＡＥＳ（Ａｄｖａｎｃｅｄ  Ｅｎｃｒｙｐｔｉｏｎ  Ｓｔａｎｄａｒｄ）など公知の技術にて実現している。
【０００４】
たとえば、ある利用者が暗号化された著作権付きデジタルコンテンツを利用する場合、以下の手順にてデジタルコンテンツの利用が可能になる。
【０００５】
（１）暗号化済みデジタルコンテンツの取得：
利用者はインターネットまたは電子媒体などより、暗号化された著作権付きデジタルコンテンツを取得する。取得方式は任意であり、端末装置操作によりインターネットブラウザを用いた暗号化済みデジタルコンテンツのダウンロードや、暗号化済みデジタルコンテンツの複写により、該端末装置内に暗号化済みデジタルコンテンツを格納する。
【０００６】
（２）暗号化済みデジタルコンテンツを復号するための復号鍵の取得：
利用者は暗号化された著作権付きデジタルコンテンツを利用する際に、暗号解除のための復号鍵をデジタルコンテンツ利用権オブジェクトとして取得する。取得方法は任意であり、インターネットを経由したデジタルコンテンツ利用権オブジェクトの取得や、該著作権付きデジタルコンテンツを管理するデジタルコンテンツ著作権管理システムからメール等による配布や、電話等を用いた人介によるデジタルコンテンツ利用権オブジェクトの提供などにより、該端末装置内にデジタルコンテンツ利用権オブジェクトを格納する。
【０００７】
（３）暗号化済みデジタルコンテンツの復号：
利用者は、該端末装置内に暗号化された著作権付きデジタルコンテンツを、該端末装置内にデジタルコンテンツ利用権オブジェクトとして格納した復号鍵を用いて暗号解除を行い、著作権付きデジタルコンテンツを利用する。利用する際の復号方式は任意であり、該端末装置に登録された特定のブラウザソフトウェアによりデジタルコンテンツ利用権オブジェクトが管理され、該著作権付きデジタルコンテンツを利用する毎に復号が行われる方式や、特定のソフトウェアにより暗号化された著作権付きデジタルコンテンツが復号され、復号された著作権付きデジタルコンテンツが端末装置内に格納される方式などにより、著作権付きデジタルコンテンツが利用可能になる。
【０００８】
ある１人の利用者が所有する複数の端末装置にて該著作権付きデジタルコンテンツを共有し利用する場合、デジタルコンテンツ利用権に設定された端末使用制限に基づき実現可能であり、複写や移動が許可されている場合については、利用者の端末装置操作にて許可された範囲内での著作権付きデジタルコンテンツを共有利用が可能である。このような方式は、例えば、ＯＭＡ  ＤＲＭ  Ｖｅｒｓｉｏｎ２以降、またはＭｉｃｒｏｓｏｆｔ社  ＰｌａｙＲｅａｄｙと公知の技術にて規格化されている。
【先行技術文献】
【特許文献】
【０００９】
【特許文献１】特開２００２−１３３２０５号公報
【特許文献２】特開２００５−２２２３３４号公報
【発明の概要】
【発明が解決しようとする課題】
【００１０】
著作権付きデジタルコンテンツの利用に関して、デジタルコンテンツ利用権を利用者に貸与することにより著作権付きデジタルコンテンツの流通が可能となるが、デジタルコンテンツ利用権はある１人の利用者が所有する特定の端末装置に限定しており、特定の利用者に対してデジタルコンテンツ利用権を貸与することが前提になっている。また特定の利用者がデジタルコンテンツ利用権を取得する際、該利用者が該デジタルコンテンツ利用権の購入を行うことによりデジタルコンテンツ利用権が貸与されるのが通例であり、購入操作を行った端末装置内に該デジタルコンテンツ利用権となる復号鍵が格納される。
【００１１】
従来方式は、特定の利用者が特定の端末装置を用い取得する方式であるため、ある著作権付きデジタルコンテンツの利用に対して高額な利用権が設定されていた場合、特に利用者の支払い能力如何等に応じ購入行為の実施可否が決定される場合があり、該デジタルコンテンツ利用権販売者はデジタルコンテンツ利用権の提供機会損失を招く場合がある。これを解決する手段として、複数の利用者の共同出資でのデジタルコンテンツ利用権取得により、利用者１人あたりの負担を軽減し販売促進を行う方法があるが、そのために、例えば、該複数の利用者の所有する各々の端末装置内にデジタルコンテンツ利用権を配信する手段を実現する必要がある。
また、現在ＳＮＳ（Ｓｏｃｉａｌ  Ｎｅｔｗｏｒｋ  Ｓｙｓｔｅｍ）などの普及によりインターネットを通じた集合体（コミュニティー・グループ）が存在し、情報伝播やデジタルコンテンツ普及などの該集合体がデジタルコンテンツを共同で利用することによる付加価値が、デジタルコンテンツ利用権販売者にとって販売促進のための重要な要素となっており、販売促進のためには、例えば、複数の利用者に対してデジタルコンテンツ利用権を貸与する手段の実現が必要である。
【００１２】
本発明は、以上の点に鑑み、著作権付きデジタルコンテンツのデジタルコンテンツ利用権を複数の利用者で共有し、利用者の金銭的負担を軽減するためのコンテンツ利用権管理システム、コンテンツ利用権管理装置及び方法を提供することを目的とする。また、本発明は、著作権付きデジタルコンテンツのデジタルコンテンツ利用権販売者は販売促進が可能であり、流通量が増える効果があるようにしたコンテンツ利用権管理システム、コンテンツ利用権管理装置及び方法を提供することを目的とする。
また、本発明は、デジタルコンテンツ利用権販売者は、複数の利用者に対して著作権付きデジタルコンテンツの利用を許可することにより、該著作権付きデジタルコンテンツの視聴量や消費量が増加し、レビューやリコメンドといった消費者形成メディアによる副次的な効果により、マスマーケットに対する優位性を得ることができるようにしたコンテンツ利用権管理システム、コンテンツ利用権管理装置及び方法を提供することを目的とする。
【課題を解決するための手段】
【００１３】
本発明は、例えば、著作権付きデジタルコンテンツを利用するときに必要となるデジタルコンテンツ利用権管理において、デジタルコンテンツ利用権とデジタルコンテンツ利用権の共有する複数の利用者の紐付けを管理する手段と、共有するデジタルコンテンツ利用権を利用する際にデジタルコンテンツ利用権に設定された利用制約を持ってデジタルコンテンツ利用権を利用者に供給可否を判断する手段と、デジタルコンテンツ利用権を共有する利用者毎に配信管理を行い、デジタルコンテンツ利用権の供給を制御する手段と、を有することを特徴とするデジタルコンテンツ利用権管理装置を提供することができる。
また、本発明は、著作権付きデジタルコンテンツを利用するときに必要となるデジタルコンテンツ利用権管理において、デジタルコンテンツ利用権取得の際に複数の共同取得利用者を募集し、応募によってデジタルコンテンツ利用権を共有する複数の利用者で構成される集合体を形成する手段と、を有することを特徴とするデジタルコンテンツ利用権管理装置を提供することができる。
【００１４】
本発明は、ある著作権付きデジタルコンテンツのデジタルコンテンツ利用権取得しようとする際に、
共同取得を行う複数の利用者（以下グループと称する）情報を形成する利用権取得グループ生成手段と、
該グループがデジタルコンテンツ利用権を取得したこと示す利用権取得履歴と該デジタルコンテンツ利用権を取得したグループ情報の紐付きを管理する利用権取得履歴管理手段と、
該グループに属する利用者が該著作権付きデジタルコンテンツを利用する際に送信するデジタルコンテンツ利用権取得要求を受信する利用権取得要求受付手段と、
該グループに属する利用者またはグループ全体での利用状況や該デジタルコンテンツ利用権に設定されたデジタルコンテンツ共有利用制約を基に該グループに属する各利用者に対してデジタルコンテンツ利用権配信可否を判定する利用権提供判定手段と、
デジタルコンテンツ利用のためのデジタルコンテンツ利用権オブジェクトを生成し配信するデジタルコンテンツ著作権配信装置に対して、該利用者へデジタルコンテンツ利用権配信要求を送信する利用権配信要求送信手段
を有するデジタルコンテンツ利用権管理装置により、デジタルコンテンツ利用権のグループ内共有を実現するものである。
【００１５】
前記利用権取得グループ生成手段は、デジタルコンテンツ利用権を取得する際に複数の利用者により該デジタルコンテンツ利用権を共有しようとした場合、その共有範囲を示すグループの形成を実現するものである。
たとえば、ある利用者があるデジタルコンテンツ利用権を共同取得しようとした際に、ＳＮＳなどのインターネットを通じたコミュニティー形成のためのコミュニケーション装置に登録された知人、または共通の趣味を持つ集合体、または不特定者を対象とし、該デジタルコンテンツ利用権取得のための募集を行う。この募集には応募人数や募集期限などの制限が指定してもよい。この募集情報は、該利用者の規定する範囲内で閲覧可能であり、閲覧した第三者の利用者は、その募集に対して応募をすることが可能である。ある募集に対する応募要求は、１つの集合としてデジタルコンテンツ利用権管理装置に蓄積される。また募集者が指定した制限に対して条件を満たした場合、自動的に応募受付が終了する。
【００１６】
このような手続きにより、デジタルコンテンツ利用権共同取得要求元となる利用者と、共同取得者となる第三者の利用者が、該デジタルコンテンツのデジタルコンテンツ利用権共同取得のためのグループとして形成される。形成されたグループは、任意の方法にて該デジタルコンテンツのデジタルコンテンツ利用権の取得を行う。
たとえば、該著作権付きデジタルコンテンツの利用にあたり利用料金が必要な場合、デジタルコンテンツ利用権取得のための認証・課金・決済・収納サービスを実現している公知の課金認証基盤を用い購入行為を行い、該デジタルコンテンツ利用権を取得する。その際、該デジタルコンテンツ利用権取得に設定された価格に対して、グループを形成する利用者の人数で分割することにより一人当りの対価を削減し、個々の負担を軽減してもよい。または、グループのうち特定の個人または複数の利用者にて、該デジタルコンテンツ利用権取得に設定された価格の支払いを行い、グループ内で該デジタルコンテンツ利用権を共有してもよい。
【００１７】
前記利用権取得履歴管理手段は、デジタルコンテンツ利用権を取得したことに対して生成される購入履歴等の利用権取得履歴情報と、関連する該デジタルコンテンツ利用権を取得したグループに属する利用者情報とを蓄積し、デジタルコンテンツ利用権と利用可能なグループとの紐付けの管理を実現するものである。さらに、該グループに属する任意の利用者に対してデジタルコンテンツ利用権オブジェクトを配信した際に、配信回数や配信日時、利用権貸与終了予定日時を配信履歴情報として記録し、前記利用権取得履歴情報および利用者情報と合わせて管理することにより、デジタルコンテンツ利用権毎のグループ利用状況管理を実現する。
【００１８】
前記利用権取得要求受付手段は、あるグループに属する利用者が該著作権付きデジタルコンテンツを利用する際に、暗号化された著作権付きデジタルコンテンツを復号するための復号鍵等のデジタルコンテンツ利用権オブジェクトの配信要求の受信を実現する。
たとえば、ある利用者が端末装置を用い、前記利用権取得要求受付手段に対してデジタルコンテンツ利用権の配信要求を行う場合、利用者の所属するグループが取得したデジタルコンテンツ利用権の一覧を利用者に表示し、利用者に必要となるデジタルコンテンツ利用権を選択させる。選択した情報は必要とするデジタルコンテンツ利用権が識別可能な情報であり、利用者の端末装置より前記利用権取得要求受付手段に対して選択結果を通知する。
たとえば、ある利用者が端末装置を用い、前記利用権取得要求受付手段に対してデジタルコンテンツ利用権の配信要求を行う場合、利用者の端末装置にて該著作権付きデジタルコンテンツを利用するためのブラウザソフトウェアの操作により、利用者の特定可能な情報と該著作権付きデジタルコンテンツを利用するために必要なデジタルコンテンツ利用権が識別可能な情報とを、前記利用権取得要求受付手段に通知する。
【００１９】
前記利用権提供判定手段は、利用者より受信したデジタルコンテンツ利用権取得要求に対して、利用者または利用者が所属するグループでの購入状況や利用状況、該デジタルコンテンツ利用権に設定された同時利用者数や利用限度回数や利用期間や利用期限等のデジタルコンテンツ共有利用制約を基に、該利用者に対してデジタルコンテンツ利用権オブジェクトの配信可否判定を実現する。
前記利用権提供判定手段は、まず、該デジタルコンテンツ利用権の取得履歴と該利用者の所属するグループとを特定し、該グループの該デジタルコンテンツ利用権の取得の有無を判定する。次に、該利用者および該グループに属する利用者へのデジタルコンテンツ利用権オブジェクトの配信状況を確認する。次に、該デジタルコンテンツ利用権に設定されたデジタルコンテンツ共有利用制約を取得し、該利用者に対してデジタルコンテンツ利用権オブジェクトの配信可否判定を行う。
たとえば、ある利用者があるデジタルコンテンツ利用権の配信要求を行った際に、該利用者の所属するグループにて該デジタルコンテンツ利用権が取得済みであり、該グループの他の利用者に対してデジタルコンテンツ利用権が貸与されていた状況において、該デジタルコンテンツ利用権に設定されたデジタルコンテンツ共有利用制約に、同時利用者数が設定されていた場合、該グループ内のデジタルコンテンツ利用権貸与中の利用者が制約数の範囲内であれば、該利用者に対してデジタルコンテンツ利用権の貸与を許可する。
たとえば、ある利用者があるデジタルコンテンツ利用権の配信要求を行った際に、該利用者の所属するグループにて該デジタルコンテンツ利用権が取得済みであり、過去に該利用者に対して該デジタルコンテンツ利用権オブジェクトを配信した履歴がある状況において、該デジタルコンテンツ利用権に設定されたデジタルコンテンツ共有利用制約に、利用限度回数が設定されていた場合、該利用者の過去のデジタルコンテンツ利用権オブジェクトの配信数が制約数の範囲内であれば、該利用者に対してデジタルコンテンツ利用権を貸与を許可する。
たとえば、ある利用者があるデジタルコンテンツ利用権の配信要求を行った際に、該利用者の所属するグループにて該デジタルコンテンツ利用権が取得済みである状況において、該デジタルコンテンツ利用権に設定されたデジタルコンテンツ共有利用制約に、特定の利用期限を示す日時が指定されていた場合、該利用者のデジタルコンテンツ利用権要求受付日時が範囲内であれば、該利用者に対してデジタルコンテンツ利用権の貸与を許可する。
【００２０】
前記利用権配信要求送信手段は、利用者より受信したデジタルコンテンツ利用権取得要求に対して、前記利用権提供判定手段にて該利用者に対してデジタルコンテンツ利用権の貸与が可能と判断した場合、デジタルコンテンツ利用権オブジェクトを配信するデジタルコンテンツ著作権配信装置に対して、該利用者の使用する端末装置へデジタルコンテンツ利用権配信要求を送信し、該利用者の著作権付きデジタルコンテンツ利用を可能にする。
このとき、前記利用権配信要求送信手段が接続するデジタルコンテンツ著作権配信装置は任意とし、公知のデジタルコンテンツ著作権管理方式を用いたデジタルコンテンツ著作権配信装置であることを前提とする。
また、該端末装置内の著作権付きデジタルコンテンツを利用するためのブラウザソフトウェアが参照する該端末装置内に保持されるデジタルコンテンツ利用権オブジェクトの属性情報である端末使用制限は、該デジタルコンテンツ著作権管理方式にて使用回数、期間、期限、コピー可否、端末間移動可否等規定されたフォーマットにより指定され、該端末内で該著作権付きデジタルコンテンツの使用方法を制限するが、このとき、前記利用権配信要求送信手段は、前記デジタルコンテンツ共有利用制約に指定された該デジタルコンテンツ利用権の端末使用制限をデジタルコンテンツ著作権配信装置に通知する。このようにして、該デジタルコンテンツ著作権配信装置にて生成・配信されるデジタルコンテンツ利用権オブジェクトに設定される端末使用制限を制御し、共有しているデジタルコンテンツ利用権の個々の行使の制限することができる。
たとえば、ある利用者があるデジタルコンテンツ利用権の配信要求を行った際に、前記利用権提供判定手段にて該利用者に対してデジタルコンテンツ利用権の貸与可能と判断した時、該デジタルコンテンツ利用権に設定されたデジタルコンテンツ共有利用制約に配信毎のデジタルコンテンツ利用権オブジェクトの端末使用制限が使用回数上限値が指定されていた場合、前記利用権配信要求送信手段は接続するデジタルコンテンツ著作権配信装置に該端末使用制限情報を通知し、デジタルコンテンツ著作権配信装置は利用権配信要求送信手段より通知された内容に従ってデジタルコンテンツ利用権オブジェクトを生成、配信する。
たとえば、ある利用者があるデジタルコンテンツ利用権の配信要求を行った際に、前記利用権提供判定手段にて該利用者に対してデジタルコンテンツ利用権の貸与可能と判断した時、該デジタルコンテンツ利用権に設定されたデジタルコンテンツ共有利用制約に特定の利用期限を示す日時が指定され、かつ配信毎のデジタルコンテンツ利用権オブジェクトの端末使用制限に期間または期限が指定されていた場合、前記利用権配信要求送信手段は該デジタルコンテンツ共有利用制約の利用期限日を越えない期間または期限を生成する等デジタルコンテンツ共有利用制約の範囲内で利用者がデジタルコンテンツ利用権の行使を行えるように加工し、端末使用制限情報として接続するデジタルコンテンツ著作権配信装置に通知し、デジタルコンテンツ著作権配信装置は利用権配信要求送信手段より通知された内容に従ってデジタルコンテンツ利用権オブジェクトを生成、配信する。
【００２１】
本発明の第１の解決手段によると、
端末装置へ表示画面の提供を行い、認証装置と連携し利用者認証を取り扱うコミュニケーション装置と、
前記端末装置に対して、コンテンツ利用権を配信するコンテンツ著作権配信装置と、
前記端末装置がコンテンツ利用権を取得するための処理を実行するコンテンツ利用権管理装置と、
を備えたコンテンツ利用権管理システムであって、
前記コンテンツ利用権管理装置は、
共同利用を募集する商品について、商品ＩＤ、募集ユーザＩＤ、グループＩＤ、応募終了条件、募集状態を対応して記憶した募集管理テーブルと、
商品ＩＤに対して、商品名、価格を記憶した商品マスターテーブルと、
共同利用が応募されたグループＩＤ、応募ユーザＩＤを対応して記憶する応募管理テーブルと、
商品ＩＤ、グループＩＤ、ユーザＩＤ、利用状態を含む利用権管理テーブルと
を有し、
募集者端末装置は、コンテンツの利用権共同取得を募集するため、コミュニケーション装置から商品ＩＤ、商品名、価格、共同購入条件若しくは応募終了条件を含む共同購入可能な商品一覧を受信すると、その商品一覧を表示し、募集する商品ＩＤ及び応募終了条件を入力し、募集ユーザＩＤ及び商品ＩＤ及び応募終了条件を含む利用権共同取得の募集要求を前記コンテンツ利用権管理装置に送信し、
前記コンテンツ利用権管理装置は、コンテンツの利用権共同取得を募集するための前記募集者端末装置より、募集ユーザＩＤ及び商品ＩＤ及び応募終了条件を含む利用権共同取得の募集要求を受信し、
前記コンテンツ利用権管理装置は、募集要求に従い、募集管理テーブルに、商品ＩＤ、募集ユーザＩＤ、応募終了条件を記憶し、グループＩＤを予め定めた手順で設定し、募集状態を受付中に設定し、
前記コンテンツ利用権管理装置は、応募者端末装置より、応募ユーザＩＤを含む利用権共同取得状態の検索要求を受信すると、前記募集管理テーブルを参照し、募集状態が受付中であるエントリを抽出し、商品ＩＤと募集ユーザＩＤとグループＩＤと応募終了条件と募集状態を求め、前記商品マスターテーブルを参照して、商品ＩＤから商品名と価格を求め、商品ＩＤと募集ユーザＩＤとグループＩＤと応募終了条件と募集状態と商品名と価格を含む検索結果を、前記応募者端末装置に返信し、
前記コンテンツ利用権管理装置は、前記応募者端末装置より、応募ユーザＩＤとグループＩＤを含むグループへの応募要求を受信すると、前記応募管理テーブルにグループＩＤ、応募ユーザＩＤを含む新規エントリを追加し、
前記コンテンツ利用権管理装置は、前記募集管理テーブルを参照し、応募されたグループＩＤに対する応募終了条件を満たさない場合募集状態を受付中のままとし、一方、応募終了条件を満たす場合、募集状態を終了状態に変更し、
前記コンテンツ利用権管理装置は、商品ＩＤ、グループＩＤ、募集状態を含む利用権共同取得応答を、応募前記端末装置に返信し、
前記コンテンツ利用権管理装置は、前記募集管理テーブルを予め定められたタイミング又は周期で参照し、募集状態が終了状態になったエントリの商品ＩＤ、募集ユーザＩＤ、グループＩＤ、応募終了条件を抽出し、前記応募管理テーブルからグループＩＤが同一のひとつ又は複数の応募ユーザを求め、前記商品マスターテーブルから商品ＩＤに対する商品名及び価格を求め、
前記コンテンツ利用権管理装置は、商品ＩＤ、商品名、価格、グループＩＤ、募集ユーザＩＤ、応募終了条件を含む利用権共同取得の可能通知を、前記募集者端末装置及び前記応募者端末装置に通知し、
可能通知を受信した前記募集者端末装置および前記応募者端末装置が、コミュニケーション装置にて該コンテンツ利用権取得権利を取得した際に、前記コンテンツ利用権管理装置は、コミュニケーション装置から、商品ＩＤとグループＩＤを含むコンテンツ利用履歴を受信し、
前記コンテンツ利用権管理装置は、コンテンツ利用履歴のグループＩＤと一致するユーザＩＤを、前記募集管理テーブルおよび前記応募管理テーブルから抽出し、商品ＩＤとグループＩＤとユーザＩＤを前記利用権管理テーブルに登録し、
前記コンテンツ利用権管理装置は、前記募集者端末装置及び前記応募者端末装置に、該コンテンツ利用権取得権利が取得済みである旨の通知を行い、
前記コンテンツ利用権管理装置は、該コンテンツ利用権取得権利が取得済みである前記募集者端末装置又は前記応募者端末装置から、ユーザＩＤを含むコンテンツ利用権の共同取得の受付要求を受信すると、前記利用権管理テーブルを参照し、ユーザＩＤが一致するエントリから商品ＩＤとグループＩＤを抽出し、前記商品マスタテーブルを参照し、前記商品ＩＤが一致するエントリから商品名、価格を取得し、前記募集者端末装置又は前記応募者端末装置に対して、商品ＩＤ、商品名、価格、グループＩＤを含む取得済コンテンツ利用権一覧を応答し、
前記コンテンツ利用権管理装置は、前記募集者端末装置又は前記応募者端末装置より、ユーザＩＤ、商品ＩＤを含む利用権配信要求を受信すると、貸与者数は同時利用者数を超過していないこと、利用権の配信回数は配信利用制限数を超過していないこと、配信期限及び／又は利用期限は有効であることのうち、いずれか一つまたは複数の予め定められた条件に従い、該当ユーザＩＤに対してコンテンツ利用権の貸与を許可とする貸与可否判断を実行し、
前記コンテンツ利用権管理装置は、貸与可否判断の結果が貸与可能である場合は、商品ＩＤと商品名と商品説明と価格とグループＩＤを含む取得可能な利用権一覧を示す利用権配信可否応答を、前記募集者端末装置又は前記応募者端末装置に返信し、
前記コンテンツ利用権管理装置は、前記コンテンツ著作権配信装置に、前記募集者端末装置又は前記応募者端末装置に対し、コンテンツ利用権の配信処理を行わせる
コンテンツ利用権管理システム
が提供される。
【００２２】
本発明の第２の解決手段によると、
端末装置へ表示画面の提供を行い、認証装置と連携し利用者認証を取り扱うコミュニケーション装置と、
前記端末装置に対して、コンテンツ利用権を配信するコンテンツ著作権配信装置と、
前記端末装置がコンテンツ利用権を取得するための処理を実行するコンテンツ利用権管理装置と、
を備えたコンテンツ利用権管理システムにおける前記コンテンツ利用権管理装置であって、
共同利用を募集する商品について、商品ＩＤ、募集ユーザＩＤ、グループＩＤ、応募終了条件、募集状態を対応して記憶した募集管理テーブルと、
商品ＩＤに対して、商品名、価格を記憶した商品マスターテーブルと、
共同利用が応募されたグループＩＤ、応募ユーザＩＤを対応して記憶する応募管理テーブルと、
商品ＩＤ、グループＩＤ、ユーザＩＤ、利用状態を含む利用権管理テーブルと
を有し、
前記コンテンツ利用権管理装置は、コンテンツの利用権共同取得を募集するための前記募集者端末装置より、募集ユーザＩＤ及び商品ＩＤ及び応募終了条件を含む利用権共同取得の募集要求を受信し、
前記コンテンツ利用権管理装置は、募集要求に従い、募集管理テーブルに、商品ＩＤ、募集ユーザＩＤ、応募終了条件を記憶し、グループＩＤを予め定めた手順で設定し、募集状態を受付中に設定し、
前記コンテンツ利用権管理装置は、応募者端末装置より、応募ユーザＩＤを含む利用権共同取得状態の検索要求を受信すると、前記募集管理テーブルを参照し、募集状態が受付中であるエントリを抽出し、商品ＩＤと募集ユーザＩＤとグループＩＤと応募終了条件と募集状態を求め、前記商品マスターテーブルを参照して、商品ＩＤから商品名と価格を求め、商品ＩＤと募集ユーザＩＤとグループＩＤと応募終了条件と募集状態と商品名と価格を含む検索結果を、前記応募者端末装置に返信し、
前記コンテンツ利用権管理装置は、前記応募者端末装置より、応募ユーザＩＤとグループＩＤを含むグループへの応募要求を受信すると、前記応募管理テーブルにグループＩＤ、応募ユーザＩＤを含む新規エントリを追加し、
前記コンテンツ利用権管理装置は、前記募集管理テーブルを参照し、応募されたグループＩＤに対する応募終了条件を満たさない場合募集状態を受付中のままとし、一方、応募終了条件を満たす場合、募集状態を終了状態に変更し、
前記コンテンツ利用権管理装置は、商品ＩＤ、グループＩＤ、募集状態を含む利用権共同取得応答を、応募前記端末装置に返信し、
前記コンテンツ利用権管理装置は、前記募集管理テーブルを予め定められたタイミング又は周期で参照し、募集状態が終了状態になったエントリの商品ＩＤ、募集ユーザＩＤ、グループＩＤ、応募終了条件を抽出し、前記応募管理テーブルからグループＩＤが同一のひとつ又は複数の応募ユーザを求め、前記商品マスターテーブルから商品ＩＤに対する商品名及び価格を求め、
前記コンテンツ利用権管理装置は、商品ＩＤ、商品名、価格、グループＩＤ、募集ユーザＩＤ、応募終了条件を含む利用権共同取得の可能通知を、前記募集者端末装置及び前記応募者端末装置に通知し、
可能通知を受信した前記募集者端末装置および前記応募者端末装置が、コミュニケーション装置にて該コンテンツ利用権取得権利を取得した際に、前記コンテンツ利用権管理装置は、コミュニケーション装置から、商品ＩＤとグループＩＤを含むコンテンツ利用履歴を受信し、
前記コンテンツ利用権管理装置は、コンテンツ利用履歴のグループＩＤと一致するユーザＩＤを、前記募集管理テーブルおよび前記応募管理テーブルから抽出し、商品ＩＤとグループＩＤとユーザＩＤを前記利用権管理テーブルに登録し、
前記コンテンツ利用権管理装置は、前記募集者端末装置及び前記応募者端末装置に、該コンテンツ利用権取得権利が取得済みである旨の通知を行い、
前記コンテンツ利用権管理装置は、該コンテンツ利用権取得権利が取得済みである前記募集者端末装置又は前記応募者端末装置から、ユーザＩＤを含むコンテンツ利用権の共同取得の受付要求を受信すると、前記利用権管理テーブルを参照し、ユーザＩＤが一致するエントリから商品ＩＤとグループＩＤを抽出し、前記商品マスタテーブルを参照し、前記商品ＩＤが一致するエントリから商品名、価格を取得し、前記募集者端末装置又は前記応募者端末装置に対して、商品ＩＤ、商品名、価格、グループＩＤを含む取得済コンテンツ利用権一覧を応答し、
前記コンテンツ利用権管理装置は、前記募集者端末装置又は前記応募者端末装置より、ユーザＩＤ、商品ＩＤを含む利用権配信要求を受信すると、貸与者数は同時利用者数を超過していないこと、利用権の配信回数は配信利用制限数を超過していないこと、配信期限及び／又は利用期限は有効であることのうち、いずれか一つまたは複数の予め定められた条件に従い、該当ユーザＩＤに対してコンテンツ利用権の貸与を許可とする貸与可否判断を実行し、
前記コンテンツ利用権管理装置は、貸与可否判断の結果が貸与可能である場合は、商品ＩＤと商品名と商品説明と価格とグループＩＤを含む取得可能な利用権一覧を示す利用権配信可否応答を、前記募集者端末装置又は前記応募者端末装置に返信し、
前記コンテンツ利用権管理装置は、前記コンテンツ著作権配信装置に、前記募集者端末装置又は前記応募者端末装置に対し、コンテンツ利用権の配信処理を行わせる
前記コンテンツ利用権管理装置が提供される。
【００２３】
本発明の第３の解決手段によると、
端末装置へ表示画面の提供を行い、認証装置と連携し利用者認証を取り扱うコミュニケーション装置と、
前記端末装置に対して、コンテンツ利用権を配信するコンテンツ著作権配信装置と、
前記端末装置がコンテンツ利用権を取得するための処理を実行するコンテンツ利用権管理装置と、
を備えたコンテンツ利用権管理システムであって、
前記コンテンツ利用権管理装置は、
共同利用を募集する商品について、商品ＩＤ、募集ユーザＩＤ、グループＩＤ、応募終了条件、募集状態を対応して記憶した募集管理テーブルと、
商品ＩＤに対して、商品名、価格を記憶した商品マスターテーブルと、
共同利用が応募されたグループＩＤ、応募ユーザＩＤを対応して記憶する応募管理テーブルと、
商品ＩＤ、グループＩＤ、ユーザＩＤ、利用状態を含む利用権管理テーブルと
を有するコンテンツ利用権管理システムを用いたコンテンツ利用権管理方法であって、
募集者端末装置は、コンテンツの利用権共同取得を募集するため、コミュニケーション装置から商品ＩＤ、商品名、価格、共同購入条件若しくは応募終了条件を含む共同購入可能な商品一覧を受信すると、その商品一覧を表示し、募集する商品ＩＤ及び応募終了条件を入力し、募集ユーザＩＤ及び商品ＩＤ及び応募終了条件を含む利用権共同取得の募集要求を前記コンテンツ利用権管理装置に送信し、
前記コンテンツ利用権管理装置は、コンテンツの利用権共同取得を募集するための前記募集者端末装置より、募集ユーザＩＤ及び商品ＩＤ及び応募終了条件を含む利用権共同取得の募集要求を受信し、
前記コンテンツ利用権管理装置は、募集要求に従い、募集管理テーブルに、商品ＩＤ、募集ユーザＩＤ、応募終了条件を記憶し、グループＩＤを予め定めた手順で設定し、募集状態を受付中に設定し、
前記コンテンツ利用権管理装置は、応募者端末装置より、応募ユーザＩＤを含む利用権共同取得状態の検索要求を受信すると、前記募集管理テーブルを参照し、募集状態が受付中であるエントリを抽出し、商品ＩＤと募集ユーザＩＤとグループＩＤと応募終了条件と募集状態を求め、前記商品マスターテーブルを参照して、商品ＩＤから商品名と価格を求め、商品ＩＤと募集ユーザＩＤとグループＩＤと応募終了条件と募集状態と商品名と価格を含む検索結果を、前記応募者端末装置に返信し、
前記コンテンツ利用権管理装置は、前記応募者端末装置より、応募ユーザＩＤとグループＩＤを含むグループへの応募要求を受信すると、前記応募管理テーブルにグループＩＤ、応募ユーザＩＤを含む新規エントリを追加し、
前記コンテンツ利用権管理装置は、前記募集管理テーブルを参照し、応募されたグループＩＤに対する応募終了条件を満たさない場合募集状態を受付中のままとし、一方、応募終了条件を満たす場合、募集状態を終了状態に変更し、
前記コンテンツ利用権管理装置は、商品ＩＤ、グループＩＤ、募集状態を含む利用権共同取得応答を、応募前記端末装置に返信し、
前記コンテンツ利用権管理装置は、前記募集管理テーブルを予め定められたタイミング又は周期で参照し、募集状態が終了状態になったエントリの商品ＩＤ、募集ユーザＩＤ、グループＩＤ、応募終了条件を抽出し、前記応募管理テーブルからグループＩＤが同一のひとつ又は複数の応募ユーザを求め、前記商品マスターテーブルから商品ＩＤに対する商品名及び価格を求め、
前記コンテンツ利用権管理装置は、商品ＩＤ、商品名、価格、グループＩＤ、募集ユーザＩＤ、応募終了条件を含む利用権共同取得の可能通知を、前記募集者端末装置及び前記応募者端末装置に通知し、
可能通知を受信した前記募集者端末装置および前記応募者端末装置が、コミュニケーション装置にて該コンテンツ利用権取得権利を取得した際に、前記コンテンツ利用権管理装置は、コミュニケーション装置から、商品ＩＤとグループＩＤを含むコンテンツ利用履歴を受信し、
前記コンテンツ利用権管理装置は、コンテンツ利用履歴のグループＩＤと一致するユーザＩＤを、前記募集管理テーブルおよび前記応募管理テーブルから抽出し、商品ＩＤとグループＩＤとユーザＩＤを前記利用権管理テーブルに登録し、
前記コンテンツ利用権管理装置は、前記募集者端末装置及び前記応募者端末装置に、該コンテンツ利用権取得権利が取得済みである旨の通知を行い、
前記コンテンツ利用権管理装置は、該コンテンツ利用権取得権利が取得済みである前記募集者端末装置又は前記応募者端末装置から、ユーザＩＤを含むコンテンツ利用権の共同取得の受付要求を受信すると、前記利用権管理テーブルを参照し、ユーザＩＤが一致するエントリから商品ＩＤとグループＩＤを抽出し、前記商品マスタテーブルを参照し、前記商品ＩＤが一致するエントリから商品名、価格を取得し、前記募集者端末装置又は前記応募者端末装置に対して、商品ＩＤ、商品名、価格、グループＩＤを含む取得済コンテンツ利用権一覧を応答し、
前記コンテンツ利用権管理装置は、前記募集者端末装置又は前記応募者端末装置より、ユーザＩＤ、商品ＩＤを含む利用権配信要求を受信すると、貸与者数は同時利用者数を超過していないこと、利用権の配信回数は配信利用制限数を超過していないこと、配信期限及び／又は利用期限は有効であることのうち、いずれか一つまたは複数の予め定められた条件に従い、該当ユーザＩＤに対してコンテンツ利用権の貸与を許可とする貸与可否判断を実行し、
前記コンテンツ利用権管理装置は、貸与可否判断の結果が貸与可能である場合は、商品ＩＤと商品名と商品説明と価格とグループＩＤを含む取得可能な利用権一覧を示す利用権配信可否応答を、前記募集者端末装置又は前記応募者端末装置に返信し、
前記コンテンツ利用権管理装置は、前記コンテンツ著作権配信装置に、前記募集者端末装置又は前記応募者端末装置に対し、コンテンツ利用権の配信処理を行わせる
コンテンツ利用権管理方法が提供される。
【発明の効果】
【００２４】
本発明によると、著作権付きデジタルコンテンツのデジタルコンテンツ利用権を複数の利用者で共有することを可能とし、利用者の金銭的負担を軽減することができるという効果がある。これにより著作権付きデジタルコンテンツのデジタルコンテンツ利用権販売者は販売促進が可能であり、流通量が増える効果がある。
またデジタルコンテンツ利用権販売者は、複数の利用者に対して著作権付きデジタルコンテンツの利用を許可することにより、該著作権付きデジタルコンテンツの視聴量や消費量が増加し、レビューやリコメンドといった消費者形成メディアによる副次的な効果により、マスマーケットに対する優位性を得ることができる。
【図面の簡単な説明】
【００２５】
【図１】本実施の形態のデジタルコンテンツ利用権管理システムの概要図である。
【図２】本実施の形態のデジタルコンテンツ利用権管理装置の構成図である。
【図３】商品マスタテーブルの構成例である。
【図４】共有利用制約マスタテーブルの構成例である。
【図５】端末使用制限マスタテーブルの構成例である。
【図６】募集管理テーブルの構成例である。
【図７】応募管理テーブルの構成例である。
【図８】利用権管理テーブルの構成例である。
【図９】利用権取得グループ生成処理部の処理シーケンスである。
【図１０】本実施の形態のシステムで生成する利用権共同取得商品一覧画面例である。
【図１１】本実施の形態のシステムで生成する利用権共同取得要求（募集）の通知例である。
【図１２】本実施の形態のシステムで生成する利用権共同取得応答の画面例である。
【図１３】本実施の形態のシステムで生成する利用権共同取得状態検索要求の通知例である。
【図１４】本実施の形態のシステムで生成する利用権共同取得状態検索結果の画面例である。
【図１５】本実施の形態のシステムで生成する利用権共同取得者追加要求（応募）の通知例である。
【図１６】本実施の形態のシステムで生成する利用権共同取得応答の画面例である。
【図１７】利用権取得履歴管理処理部の処理シーケンスである。
【図１８】本実施の形態のシステムで生成する利用権共同取得可能通知の例である。
【図１９】本実施の形態のシステムで生成する利用権共同取得可能通知応答の例である。
【図２０】本実施の形態のシステムで生成する利用権共同取得通知可能通知の画面例である。
【図２１】本実施の形態のシステムで生成する利用権共同取得履歴送信の通知例である。
【図２２】本実施の形態のシステムで生成する利用権共同取得履歴応答の通知例である。
【図２３】本実施の形態のシステムで生成する利用権共同取得通知の画面例である。
【図２４】利用権取得要求受付処理部、利用権提供判定処理部及び利用権配信要求処理部の処理シーケンスである。
【図２５】本実施の形態のシステムで生成する利用権共同取得受付要求の通知例である。
【図２６】本実施の形態のシステムで生成する共同取得済利用権一覧応答の画面例である。
【図２７】本実施の形態のシステムで生成する利用権配信要求の通知例である。
【図２８】本実施の形態のシステムで生成する利用権配信可否応答の画面例である。
【図２９】本実施の形態のシステムで生成する利用権配信要求送信の通知例である。
【図３０】本実施の形態のシステムで生成する利用権配信要求応答の通知例である。
【図３１】利用権提供判定処理のフローである。
【図３２】共同購入可能商品テーブルの構成例である。
【発明を実施するための形態】
【００２６】
以下、図面を参照して本発明の実施の形態について説明する。
１．システム
図１は、本実施の形態のデジタルコンテンツ利用権管理システムの構成図である。
端末装置０１０１〜０１０５は、ＰＣ、携帯電話、ＰＤＡ、モバイル端末等の端末内に著作権付きデジタルコンテンツが利用可能なブラウザソフトウェアを搭載した端末装置であり、利用者のＷｅｂブラウザ等の操作によりコミュニケーション装置０１０７へ接続する。課金装置０１０６は、例えば公知の認証・課金・決済・収納技術にて実現され、コミュニケーション装置０１０７と連携し、利用者がデジタルコンテンツ利用権を取得する際の課金認証・決済を行う。
コミュニケーション装置０１０７は、ＣＭＳ（Ｃｏｎｔｅｎｔｓ  Ｍａｎａｇｅｍｅｎｔ  Ｓｙｓｔｅｍ）等の公知の汎用的なＷｅｂ技術により実現され、端末装置０１０１〜０１０５へ画面提供を行う他、認証装置０１０８と連携し利用者認証および利用者間の関係情報を取り扱える。コミュニケーション装置０１０７は、共同購入可能商品テーブル０１１４にアクセス可能（読み出し、書き込み）である。なお、共同購入可能商品テーブル０１１４を省略し、商品マスターテーブルで代用することも可能であり、その場合は、コミュニケーション装置０１０７は、商品マスターテーブルにアクセス可能である。また、コミュニケーション装置０１０７は、デジタルコンテンツ利用権管理装置０１１１とはＨＴＴＰ（ＨｙｐｅｒＴｅｘｔ  Ｔｒａｎｓｆｅｒ  Ｐｒｏｔｏｃｏｌ）プロトコル等の汎用的な通信インタフェースを持つことを前提にする。
認証装置０１０８は、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）等の公知の汎用的なユーザ認証技術により実現され、コミュニケーション装置０１０７からの問合せに対して、ユーザＤＢ０１０９に登録された利用者認証に必要な情報を応答する。
デジタルコンテンツ著作権配信装置０１１０は、ＯＭＡ  ＤＲＭやＭａｒｌｉｎやＷｉｎｄｏｗｓ（登録商標）  Ｍｅｄｉａなど公知のデジタルコンテンツ著作権管理技術により実現され、端末装置０１０１〜０１０５に対して、それぞれのデジタルコンテンツ著作権管理技術に規定された配信方式によりデジタルコンテンツ利用権オブジェクトを配信する。またデジタルコンテンツ利用権管理装置０１１１とはＨＴＴＰプロトコル等の汎用的な通信インタフェースを持つことを前提にする。
デジタルコンテンツ利用権管理装置０１１１は、複数の利用者で構成されるグループにおいて共有可能な商品情報を管理するための商品マスタＤＢ０１１２と、取得したデジタルコンテンツ利用権とグループの関係を管理するデジタルコンテンツ利用権管理ＤＢ０１１３を備える。デジタルコンテンツ利用権管理装置０１１１は、端末装置０１０１〜０１０５からコミュニケーション装置０１０７を経由したデジタルコンテンツ利用権取得のためのインタフェースと、端末装置０１０１〜０１０５へデジタルコンテンツ利用権オブジェクトを配信するためのデジタルコンテンツ著作権配信装置０１１０へのデジタルコンテンツ利用権配信要求インタフェースを備える。
【００２７】
図２は、本実施の形態のデジタルコンテンツ利用権管理装置の構成を示す。図２の課金装置０１０６、コミュニケーション装置０１０７、認証装置０１０８、ユーザＤＢ０１０９、およびデジタルコンテンツ著作権配信装置０１１０は、図１と同一のものである。
【００２８】
デジタルコンテンツ利用権管理装置０１１１は、デジタルコンテンツ利用権を共同取得において複数の利用者で構成されるグループを形成を実現する利用権取得グループ生成処理部２０１、取得済みデジタルコンテンツ利用権とグループの紐付けを管理するための利用権取得履歴管理処理部０２０２、デジタルコンテンツ利用権取得要求を受信するための利用権取得要求受付処理部０２０３、デジタルコンテンツ利用権配信を判断する利用権提供判断処理部０２０４、および共同取得したデジタルコンテンツ利用権の配信要求を送信するための利用権配信要求送信処理部０２０５を備える。これらの処理部はデジタルコンテンツ利用権管理装置０１１１内の外部記憶装置に格納されたプログラムを実行することで装置上に実現される。
【００２９】
また、デジタルコンテンツ利用権に関する情報は、商品マスターテーブル０２０６、共有利用制約マスターテーブル０２０７、および端末使用制限マスターテーブル０２０８により管理される。グループおよびデジタルコンテンツ利用権とグループの紐付けに関する情報は、募集管理テーブル０２０９、応募管理テーブル０２１０、利用権管理テーブル０２１１により管理される。
【００３０】
２．テーブル
図３は、商品マスタテーブルの構成例である。
商品マスターテーブル０２０６は、デジタルコンテンツ利用権が共同取得可能な著作権付きデジタルコンテンツ情報を管理する。商品ＩＤカラム０３０１は著作権付きデジタルコンテンツ、すなわちデジタルコンテンツ利用権を一意に特定できる識別子であり、著作権付きデジタルコンテンツの名称は、商品名カラム０３０２に、著作権付きデジタルコンテンツの詳細説明は、商品説明カラム０３０７に記録される。共有可否カラム０３０３は、該商品ＩＤカラム０３０１で一意に特定された著作権付きデジタルコンテンツのデジタルコンテンツ利用権がグループ内で共有利用可否を示すフラグである。共有利用制約ＩＤカラム０３０４は、グループ内でデジタルコンテンツ利用権を共有利用する際の制約を一意に特定できる識別子である。端末使用制限ＩＤカラム０３０５は、利用者にデジタルコンテンツ利用権オブジェクトを提供する際のデジタルコンテンツ利用権オブジェクトの属性情報となる端末使用制限を一意に特定できる識別子である。また価格カラム０３０６は、デジタルコンテンツ利用権取得に当って対価を伴う場合の価格が記録される。商品名カラム０３０２、商品説明カラム０３０７、価格カラム０３０６はデジタルコンテンツ利用権を取得するに当っての付属情報であり、内容については任意とする。
【００３１】
図４は、共有利用制約マスタテーブルの構成例である。
共有利用制約マスターテーブル０２０７は、商品マスターテーブル０２０６の共有利用制約ＩＤカラム０３０４と関連を持ち、著作権付きデジタルコンテンツのデジタルコンテンツ利用権が共有利用される時の共有制約情報を管理する。同時利用者数カラム０４０１は、グループ内の全利用者のうち同時に貸与できるデジタルコンテンツ利用権の上限値である。配信利用制限数カラム０４０２は、グループ内の利用者毎のデジタルコンテンツ利用権配信数の上限値である。配信期限カラム０４０３は、グループ内の全利用者に対してのデジタルコンテンツ利用権の貸与期限を示す（日時等）。利用期間カラム０４０４は、デジタルコンテンツ利用権取得後からグループ内の全利用者に対して貸与を許容する期間である。共有利用制約ＩＤカラム０３０４で一意に特定される共有利用制約は、同時利用者数カラム０４０１、配信利用制限数カラム０４０２、配信期限カラム０４０３、利用期間カラム０４０４のうち、複数設定または無設定が可能である。複数設定の場合、いずれかのカラムの条件を超過した場合、デジタルコンテンツ利用権の配信は行われない。また無設定の場合、共有利用制約は無制限扱いとなり、グループ内の利用者は制限なくデジタルコンテンツ利用権を行使できる。
【００３２】
図５は、端末使用制限マスタテーブルの構成例である。
端末使用制限マスターテーブル０２０８は、商品マスターテーブル０２０６の端末使用制限ＩＤカラム０３０５と関連を持ち、著作権付きデジタルコンテンツのデジタルコンテンツ利用権がデジタルコンテンツ利用権オブジェクトとして端末装置に配信される時の端末内使用制約情報を管理する。端末利用回数カラム０５０１は、利用者の端末に配信されるデジタルコンテンツ利用権オブジェクトに指定された制約の使用回数が指定され、使用回数の範囲において著作権付きデジタルコンテンツの利用が可能になる。端末内利用期限カラム０５０２は、デジタルコンテンツ利用権オブジェクト制約の使用期限が指定され、期限内において著作権付きデジタルコンテンツの利用が可能になる。端末内利用期間カラム０５０３はデジタルコンテンツ利用権オブジェクト制約の使用期間が指定され、期間内において著作権付きデジタルコンテンツの利用が可能になる。コピー可否カラム０５０４は、デジタルコンテンツ利用権オブジェクト制約のコピー可否を示すフラグであり、フラグ設定値に基づき端末装置間または移動可能な再生装置への著作権付きデジタルコンテンツのコピー実施の可否が決定される。移動可否カラム０５０５は、デジタルコンテンツ利用権オブジェクト制約の移動可否を示すフラグであり、フラグ設定値に基づき端末装置間または移動可能な再生装置への著作権付きデジタルコンテンツの移動実施の可否が決定される。
端末使用制限ＩＤカラム０３０５で一意に特定される端末利用制限は、デジタルコンテンツ著作権管理方式毎に指定内容は異なり、設定内容や設定値における端末内での動作はデジタルコンテンツ著作権管理方式依存であることを前提条件とすることができる。
【００３３】
図６は、募集管理テーブルの構成例である。
募集管理テーブル０２０９は、商品マスターテーブル０２０６の商品ＩＤカラム０３０１と関連を持ち、グループを形成する際の契機となる利用者からのデジタルコンテンツ利用権共同取得希望を管理するための一次的な情報を蓄積する。募集ユーザＩＤカラム０６０１はデジタルコンテンツ利用権の共同取得を希望した最初の利用者を一意に特定できる識別子である。グループＩＤカラム０６０２は、例えば募集管理テーブル０２０９へ新規エントリ追加毎に採番され、デジタルコンテンツ利用権共同取得のためのグループを一意に特定できる識別子である。応募終了条件カラム０６０３は、該エントリで募集するデジタルコンテンツ利用権共同取得希望への応募の終了条件を示すものであり、応募者数や期間・期限等任意の設定を可能とする。募集状態カラム０６０４は、デジタルコンテンツ利用権共同取得希望を意味する該エントリの状態フラグを示し、受付中や終了などの状態を管理する。
【００３４】
図７は、応募管理テーブルの構成例である。
応募管理テーブル０２１０は、募集管理テーブル０２０９のグループＩＤカラム０６０２と関連を持ち、募集管理テーブル０２０９に保存されたデジタルコンテンツ利用権共同取得希望に対して第三の利用者の応募により具体的なグループを形成するための一次的な情報を蓄積する。応募ユーザＩＤカラム０７０１は、グループＩＤにより一意に特定される募集管理テーブル０２０９内のデジタルコンテンツ利用権共同取得希望に対して、共有希望意思を示す利用者を一意に特定できる識別子である。利用権の取得状態カラム０７０２は、グループに所属する利用者が該デジタルコンテンツ利用権を取得したかどうかを示すフラグであり、後記利用権管理テーブル０２１１にて取得済みのデジタルコンテンツ利用権とグループの紐付け情報が生成された時点で、取得済み状態になる。
【００３５】
図６に構成例を示す募集管理テーブル０２０９と、図７に構成例を示す応募管理テーブル０２１０は、後記図８に示す利用権管理テーブル０２１１に登録するためのグループを形成するための一次保存領域であり、任意のデータ構造にてグループを形成してもかまわない。
【００３６】
図８は、利用権管理テーブルの構成例である。
利用権管理テーブル０２１１は、商品マスターテーブル０２０６の商品ＩＤカラム０３０１と関連を持ち、取得済みのデジタルコンテンツ利用権とグループ、およびグループに属する利用者の紐付け情報を管理する。グループＩＤカラム０８０１は、デジタルコンテンツ利用権共同取得のためのグループを一意に特定できる識別子である。前記募集管理テーブル０２０９にて採番されたグループＩＤ０６０２と同義である。ユーザＩＤカラム０８０２は、グループを構成する利用者を一意に特定できる識別子である。前記募集管理テーブル０２０９の募集ユーザＩＤ０６０１、および前記応募管理テーブル０２１０の応募ユーザＩＤ０７０１と同義である。利用状態カラム０８０３は、後記配信日時カラム０８０５と後記貸与終了日時カラム０８０６の間の期間において、前記ユーザＩＤカラム０８０２にて一意に特定される利用者に前記商品ＩＤ０３０１で特定されるデジタルコンテンツ利用権を貸与している状態を保持するフラグであり、利用中である利用者を特定できるフラグである。配信回数カラム０８０４は、前記ユーザＩＤカラム０８０２にて一意に特定される利用者に対して前記商品ＩＤ０３０１で特定されるデジタルコンテンツ利用権のデジタルコンテンツ利用権オブジェクトを配信した際の配信回数を記録する。配信日時カラム０８０５は、前記ユーザＩＤカラム０８０２にて一意に特定される利用者に対して前記商品ＩＤ０３０１で特定されるデジタルコンテンツ利用権のデジタルコンテンツ利用権オブジェクトを配信した最終配信日時を記録する。貸与終了日時カラム０８０６は、前記商品ＩＤ０３０１で特定されるデジタルコンテンツ利用権に関連付く前記端末使用制限マスターテーブル０２０８の前記端末内利用期限カラム０５０２または前記端末内利用期間カラム０５０３が指定されていた場合、最終配信日時以降のデジタルコンテンツ利用権オブジェクトが端末装置内で失効する予定日時を記録する。
図３２は、共同購入可能商品テーブルの構成例である。
共同購入可能商品テーブル０１１４は、共同購入可能な商品について、商品ＩＤ、商品名、価格、共同購入条件又は応募終了条件を対応して記憶する。
【００３７】
３．処理
以下、図面を参照して処理シーケンスの説明と処理部詳細について示す。
【００３８】
３−１．利用権取得グループ生成処理シーケンス
図９は、デジタルコンテンツ利用権を共同取得するグループを形成するための利用権取得グループ生成処理部０２０１の処理シーケンスである。これは、利用権の共同取得を募集するユーザによる処理と、その募集に対して応募する他のユーザによる処理を示す。
【００３９】
図９のＳ１シーケンスおよびＳ２シーケンスは、デジタルコンテンツ利用権の共同取得を行うに当っての商品、すなわちデジタルコンテンツ利用権の選択を行い、共同購入募集の登録を行うための処理である。この処理は、図１０に例として示すように、端末装置（募集者）０１０１は、コミュニケーション装置０１０７に対して、利用権共同取得商品検索を送信する（Ｓ１）。コミュニケーション装置０１０７は、共同購入可能な商品について、商品ＩＤ、商品名、価格、共同購入条件又は応募終了条件を対応して記憶した共同購入可能商品テーブル０１１４を保存しており、それを参照し、利用権共同取得商品一覧を生成し、端末装置（募集者）０１０１に返信する（Ｓ２）。
なお、共同購入可能商品テーブル０１１４は、商品マスターテーブル０２０６と共通として（省略して）、コミュニケーション装置０１０７が、商品マスターテーブル０２０６にアクセスして、利用権共同取得商品一覧を生成することができるように構成してもよい。また、デジタルコンテンツ利用権管理装置０１１１が商品マスタテーブル０２０６を参照して、利用権共同取得商品一覧を生成し、端末装置（募集者）０１０１に返信するようにしてもよい。
一方、端末装置（募集者）０１０１は、その一覧に基づき共同購入可能な商品１００１を表示し、その中から募集商品ＩＤ１００２を選択し、募集〆切１００３などを記入し登録する。なお、登録の際、募集範囲１００４により「友人」、「家族」等を指定し、コミュニケーション装置０１０７又はデジタルコンテンツ利用権管理装置０１１１はこれに限定するようにしてもよい。このように、該当利用権共同取得商品一覧をコミュニケーション装置０１０７等にて返信し、端末装置（募集者）０１０１により、任意の方法にて共同取得対象となるデジタルコンテンツ利用権が選択される。なお、共同購入条件に募集〆切が整合しない場合は、リジェクトされるようにしてもよいし、自動的に両者を同一の内容に設定されるようにしてもよい。
【００４０】
次に利用権取得グループ生成処理部０２０１は、図９のＳ３シーケンスにて、端末装置（募集者）０１０１より、コミュニケーション装置０１０７を経て、図１１に例として示すように、新規募集１１０１、ユーザＩＤ１１０２、商品ＩＤ１１０３、募集〆切１１０４などの取得要求（募集）を受信する。このとき利用権取得グループ生成処理部０２０１は、前記募集管理テーブル０２０９の商品ＩＤ０３０１カラム、前記募集ユーザＩＤ０６０１カラム、前記グループＩＤ０６０２カラム（任意の番号に予め定められた手順・規則で設定（例:シーケンシャルにナンバリングすること等））、前記応募終了条件０６０３カラム、前記募集状態０６０４カラム（受付中に設定）などを新規追加する。また、利用権取得グループ生成処理部０２０１は、図９のＳ４シーケンスにて、図１２に応答例として示すように、利用権共同取得商品一覧中の募集商品ＩＤ１００２に所属するグループＩＤ０６０２をグループＩＤ表示１２０１と、該当グループＩＤ１２０１に関連する前記募集管理テーブル０２０９中の商品ＩＤ０３０１とグループＩＤ０６０２と募集状態０６０４と募集状況（この例では、申込者数で１名に設定）などの情報を含む共同購入募集表示１２０２を示す、利用権共同取得応答を端末装置（募集者）０１０１に返信する。
【００４１】
一方、利用権取得グループ生成処理部０２０１は、図９のＳ５シーケンスにて、端末装置（応募者）０１０４より、図１３に例として示すように、募集検索１３０１と応答ユーザＩＤ１３０２などを含む利用権共同取得状態検索要求を受信する。このとき利用権取得グループ生成処理部０２０１は、前記募集管理テーブル０２０９を参照し、前記募集状態０６０４カラムが「受付中」状態であるエントリを抽出し、図９のＳ６シーケンスにて、図１４に応答例として示すように、商品ＩＤとグループＩＤと募集ユーザＩＤと応募終了条件と募集状態などの情報を求め、また、商品ＩＤ０３０１に基づき、商品マスターテーブル０２０６から商品名０３０２、価格０３０６などの情報を求める。利用権取得グループ生成処理部０２０１は、求めた情報を含む募集中の共同購入可能な商品１４０１と応募グループＩＤ１４０２などを示す検索結果を返信する。
【００４２】
次に、端末装置（応募者）０１０４が、グループＩＤを選択して、応募グループＩＤ覧１４０２に入力し、登録すると、利用権取得グループ生成処理部０２０１は、図９のＳ７シーケンスにて、端末装置（応募者）０１０４より、図１５に例として示すように、応募１５０１、応募ユーザＩＤ１５０２、グループＩＤ１５０３などを示すグループへの利用者追加要求（応募）を受信する。このときこのとき利用権取得グループ生成処理部０２０１は、前記応募管理テーブル０２１０にグループＩＤ０６０２、応募ユーザＩＤ０７０１、利用権の取得状態０７０２など、新規エントリを追加する。なお、ここで利用権の取得状態０７０２は、例えば、後述する利用権取得履歴管理処理シーケンスまたは利用権取得要求受付処理シーケンス等により定めることができる。デフォルト値は、「×」とすることができる。また、利用権取得グループ生成処理部０２０１は、図１５の追加要求内のグループＩＤ１５０３にて一意に特定されるエントリを前記募集管理テーブル０２０９から抽出し、前記応募終了条件カラム０６０３の条件を満たす場合、前記募集状態カラム０６０４を終了状態に変更する。その後、図９のＳ８シーケンスにて、図１６に応答例として示すように、グループ番号１６０１、商品ＩＤ、グループＩＤ、募集状態、募集状況（この例では、申込者数に１人加算して２名に設定）を含む共同購入募集１６０２を示す処理結果を返信する。端末装置（応募者）０１０４は、取得応答に従い、図１６のように表示する。
このように、利用権取得グループ生成処理部０２０１はグループの生成と、そのグループに集まってくる応募者を都度都度受け付けているので、受け付けるたびに図６の応募終了条件０６０３を満たしているかどうかをチェックし、満たしたら状態を「終了」にし、満たさなければ「受付中」のままとする。
【００４３】
３−２．利用権取得履歴管理処理シーケンス
図１７は、取得済みデジタルコンテンツ利用権とグループの紐付けを管理するための利用権取得履歴管理処理部０２０２の処理シーケンスである。
この図は、募集管理テーブル０２０９の募集状態０６０４が「終了」状態になったグループを対象に、以降の応募者全員に対する通知や、コンテンツ利用権取得権利を得るための処理を示す。
ここで（例えば、段落００４１〜００４２、Ｓ３〜Ｓ４等）「コンテンツ利用権取得権利を取得」するということは、「有形」の「コンテンツ利用権」は取得していない状態になる。例えば、簡単な例では、オンラインショッピングで「購入」をおこなっただけで、物はまだ届いていない状態と考えることができる。
【００４４】
図１７のＳ１シーケンスは、利用権取得履歴管理処理部０２０２が、前記募集管理テーブル０２０９を予め定められたタイミング又は周期で参照し、前記募集状態カラム０６０４が終了状態になったエントリの前記商品ＩＤ０３０１、前記募集ユーザＩＤ０６０１、前記グループＩＤカラム０６０２、応募終了条件０６０３を抽出し、その抽出結果をもとに前記応募管理テーブル０２１０からグループＩＤカラム０６０２が同一になるひとつ又は複数の前記応募ユーザＩＤカラム０７０１による利用者を抽出する。そしてデジタルコンテンツ利用権管理装置０１１１は、図１８に例として示すように、取得可能通知１８０１、商品ＩＤ１８０２、グループＩＤ１８０３、ひとつ又は複数のユーザＩＤ１８０４、応募終了条件など情報を含む通知としてコミュニケーション装置０１０７へ送信する。このとき、利用権取得履歴管理処理部０２０２は、通知される情報として、商品マスターテーブル０２０６を参照して、商品ＩＤ０３０１に対する商品名０３０２、価格０３０６を含むようにしてもよい。
コミュニケーション装置０１０７は、図１７のＳ２シーケンスにて、図１９に応答例として示すように、ＨＴＴＰレスポンス結果を示す処理結果１９０１を返信する。
【００４５】
次に、コミュニケーション装置０１０７は、図１７のＳ３シーケンスにて、前記Ｓ１シーケンスにて通知された情報に含まれるユーザＩＤに基づき、端末装置（募集者）０１０１やひとつ又は複数の端末装置（応募者）０１０４等の複数の利用者に共同取得可能である旨の通知を行う。
各端末装置０１０１及び０１０４に通知される内容は、商品ＩＤと商品名、価格、グループＩＤ、募集ユーザＩＤ、応募終了条件などの情報を含む共同購入可能な商品の通知２００１例を図２０に示す。図１７のＳ３シーケンスはメールやメッセージ送信等の任意の方法にて通知されるものとする。
【００４６】
その後、図１７のＳ３シーケンスにて通知を受信した端末装置（募集者）０１０１および端末装置（応募者）０１０４は、利用者操作により、コミュニケーション装置０１０７にて該デジタルコンテンツ利用権取得権利の取得を行う。取得方式は任意であり、前記課金装置０１０６と連携した公知の課金認証方式により取得を行ってもかまわない。
【００４７】
コミュニケーション装置０１０７にて、図１７のＳ３シーケンスにて通知送信した全利用者によるデジタルコンテンツ利用権の取得操作が完了した場合、またはＳ３シーケンスにて通知送信したグループに対しデジタルコンテンツ利用権取得権利の付与が許可された場合など、任意の方式にて該グループが該デジタルコンテンツ利用権取得権利の取得した際に、図１７のＳ４シーケンスにて、図２１に示すように、取得履歴通知２１０１、と商品ＩＤ２１０２、とグループＩＤ２１０３などを有するデジタルコンテンツ利用履歴例が利用権取得履歴管理処理部０２０２に通知される。利用権取得履歴管理処理部０２０２は、図２１に示すデジタルコンテンツ利用履歴例のグループＩＤ２１０３と一致する利用者のユーザＩＤを、前記募集管理テーブル０２０９および前記応募管理テーブル０２１０から抽出し、前記利用権管理テーブル０２１１のエントリに登録する。また利用権取得履歴管理処理部０２０２は、前記利用権管理テーブル０２１１への登録結果を図１７のＳ５シーケンスにて、図２２に示す応答例として示す処理結果を、前記コミュニケーション装置０１０７に返信する。
【００４８】
その後、コミュニケーション装置０１０７は、図１７のＳ６シーケンスにて、前記Ｓ３シーケンスにて通知した端末装置（募集者）０１０１や端末装置（応募者）０１０４等の複数の利用者に、該デジタルコンテンツ利用権取得権利が共同取得済みである旨（すなわち、有形のコンテンツ利用権を取得することができるようになった旨）の通知を行う。通知内容例を図２３に示す、商品番号と商品名と価額／人とグループ番号と募集者と有効期限を有する共同購入済み商品の通知２３０１である。図１７のＳ６シーケンスはメールやメッセージ送信等の任意の方法にて通知されることができる。
【００４９】
３−３．利用権取得要求受付処理シーケンス
図２４は、デジタルコンテンツ利用権管理装置０１１１の利用権取得要求受付処理部０２０３、利用権提供判定処理部０２０４および利用権配信要求送信処理部０２０５の処理シーケンスである。これは、利用権共同取得の募集管理テーブル０２０９の募集状態０６０４が終了状態となった後に、デジタルコンテンツ利用権オブジェクトを取得するための処理を示す。すなわち、有形の「コンテンツ利用権」例えば、暗号化されたデジタルコンテンツを復号するための復号鍵（具体的な例としては１２８ｂｉｔの文字列等）を入手するための処理を示す。
【００５０】
図２４のＳ１シーケンスは、ある利用者が端末装置（募集者）０１０１を用い、コミュニケーション装置０１０７を経由し、デジタルコンテンツ利用権管理装置０１１１に対してデジタルコンテンツ利用権の配信要求を行う場合の処理である。利用権取得要求受付処理部０２０３は、図２５に例として示すような、利用権共同取得受付要求を受信する。このとき利用権取得要求受付処理部０２０３は、図２５のユーザＩＤ２５０２と前記利用権管理テーブル０２１１のユーザＩＤカラム８０２が一致するエントリの前記商品ＩＤカラム０３０１とグループＩＤカラム０８０１を抽出し、前記商品マスタテーブル０２０６より前記商品ＩＤカラム０３０１が一致するエントリから商品名０３０２、価格０３０６、商品説明０３０７を取得し、図２４のＳ２シーケンスにて、端末装置（募集者）０１０１に対して、図２６に応答例として示すように、共同取得済デジタルコンテンツ利用権一覧を応答する。
次に、図２４のＳ３シーケンスにて、利用権取得要求受付処理部０２０３は、端末装置（募集者）０１０１より、図２７に例として示すように、受付要求２７０１、とユーザＩＤ２７０２、と商品ＩＤ２７０３などを有する利用権配信要求（商品指定）を受信し、利用権提供判定処理部０２０４にて、デジタルコンテンツ利用権貸与可否の判定処理を行う。
【００５１】
図３１は、利用権提供判定処理のフローである。
以下に、このフローチャートに従いデジタルコンテンツ利用権貸与可否の判定処理について説明する。
利用権提供判定処理部０２０４にて、まず利用権配信要求（商品指定）から前記商品ＩＤ２７０３を取得し（３１０１）、次にユーザＩＤ２７０２を取得し（３１０２）、前記利用権管理テーブル０２１１からユーザＩＤに基づき利用権配信リクエストのグループＩＤを抽出し（３１０３）、該当グループＩＤが存在しない場合、該当ユーザＩＤに対してデジタルコンテンツ利用権の貸与を不可とする（３１１３）。一方、ステップ３１０３で該当グループＩＤが存在する場合、前記利用権管理テーブル０２１１より利用状態０８０３に基づき、該当グループＩＤに対応する利用中となる貸与者数を集計（抽出）する（３１０４）。次に、前記利用権管理テーブル０２１１より該当ユーザＩＤに対する利用権の配信回数０８０４を抽出する（３１０５）。次に、前記商品マスターテーブル０２０６より商品ＩＤをキーに共有利用制約ＩＤ０３０４を抽出する（３１０６）。次に、前記共有利用制約テーブル０２０７より共有利用制約ＩＤ０３０４をキーに、共有利用制約情報（同時利用者数０４０１、配信利用制限数０４０２、配信期限０４０３、利用期間０４０４）を抽出する（３１０７）。そして、貸与者数は同時利用者数０４０１を超過している場合（３１０８）、該当ユーザＩＤに対してデジタルコンテンツ利用権の貸与を不可とする（３１１３）。そして、利用権の配信回数は配信利用制限数０４０２を超過している場合（３１０９）、該当ユーザＩＤに対してデジタルコンテンツ利用権の貸与を不可とする（３１１３）。そして、配信期限０４０３と利用期間０４０４は有効でない場合（３１１０）、該当ユーザＩＤに対してデジタルコンテンツ利用権の貸与を不可とする（３１１３）。すなわち、貸与者数は同時利用者数を超過していない且利用権の配信回数は配信利用制限数を超過していない且、配信期限と利用期限は有効である場合、該当ユーザＩＤに対してデジタルコンテンツ利用権の貸与を許可とする（３１１２）。
利用権配信要求（商品指定）に対する利用権貸与可否判断結果により、図２４のＳ４シーケンスにて、図２８に示したように、応答例に利用権共同取得要求を受け付けました旨の表示２８０１と、商品ＩＤに基づき、商品マスターテーブル０２０６を検索して得られる商品ＩＤと商品名と商品説明と価格と、既に抽出されたグループ番号を有する取得可能な利用権一覧２８０２示す利用権配信可否応答を返信する。
【００５２】
つぎに、利用権取得要求受付処理部０２０３にてデジタルコンテンツ利用権貸与可能と判断した場合、利用権配信要求送信処理部０２０５は、図２７の商品ＩＤ２７０３と前記商品マスタテーブル０２０６の前記商品ＩＤカラム０３０１が一致するエントリから前記端末使用制限ＩＤカラム０３０５を抽出し、前記端末使用制限マスターテーブル０２０８にて前記端末使用制限ＩＤカラム０３０５が一致するエントリの端末利用回数カラム０５０１、端末内利用期限０５０２、端末内利用期間０５０３、コピー可否０５０４、移動可否０５０５を取得する。
【００５３】
なお端末内利用期限０５０２、端末内利用期間０５０３のいずれか両方が指定されている場合、図２７の商品ＩＤ２７０３と前記商品マスタテーブル０２０６の前記商品ＩＤカラム０３０１が一致するエントリから前記共有利用制約ＩＤカラム０３０４を抽出し、前記共有利用制約テーブル０２０７の前記共有利用制約ＩＤカラム０３０４が一致するエントリより配信期限カラム０４０３および利用期間０４０４を取得する。このとき端末内利用期限０５０２、端末内利用期間０５０３のいずれかでも配信期限カラム０４０３および利用期間０４０４に指定された期間を超過する場合、配信期限カラム０４０３および利用期間０４０４を端末内利用制限および端末内利用期間として取り扱う。
【００５４】
図２４のＳ５シーケンスにて前記デジタルコンテンツ著作権配信装置０１１０に対し、図２９に例として示すように、利用権配信要求を送信する処理を行う。図２９内に指定されたデジタルコンテンツ利用権オブジェクトに付与されるべき端末内制約２９０４〜２９０８は、前記端末使用制限マスターテーブル０２０８より取得したものであり、前記デジタルコンテンツ著作権配信装置０１１０は、図２９の商品ＩＤ２９０３にて一意に特定されるデジタルコンテンツ利用権オブジェクト生成する際に、図２９内の端末内制約２９０４〜２９０８を参照する。利用権配信要求送信処理部０２０５は、デジタルコンテンツを配信した際、利用権管理テーブル０２１１に対して、該当するユーザＩＤの配信回数０８０４を加算する。また、利用権配信要求送信処理部０２０５は、利用権取得可能な場合、適宜のタイミングで応募管理テーブル０２１０の利用権の取得状態カラム０７０２を「○」に設定し、利用権管理テーブル０２１１の利用状態カラム０８０３を「利用中」に設定することができる。
前記デジタルコンテンツ著作権配信装置０１１０は、Ｓ６シーケンスにて、利用権配信要求送信処理部０２０５に対し図３０に例としてＨＴＴＰレスポンス２００  ＯＫ３００１を示す利用権配信要求応答を行い、端末装置（募集者）０１０１に対し、デジタルコンテンツ利用権オブジェクトの配信処理を行う。
端末装置（応募者）０１０４についても同様に、デジタルコンテンツ利用権オブジェクトが配信される。
こうして、端末装置（募集者）０１０１又は他の端末装置（応募者）０１０４は、デジタルコンテンツ利用権オブジェクトを用いて所定のコンテンツの利用が可能となる。
【産業上の利用可能性】
【００５５】
本発明は、例えば、ＰＣ・携帯電話などの端末装置にて音楽・画像・動画・電子書籍などのデジタルコンテンツを利用する際、様々なシステムにおけるデジタルコンテンツ利用権の取得に幅広く適用することができる。
【符号の説明】
【００５６】
０１０１  端末装置０００１
０１０２  端末装置０００２
０１０３  端末装置０００３
０１０４  端末装置０００４
０１０５  端末装置０００５
０１０６  課金装置
０１０７  コミュニケーション装置
０１０８  認証装置
０１０９  ユーザＤＢ
０１１０  デジタルコンテンツ著作権配信装置
０１１１  デジタルコンテンツ利用権管理装置
０１１２  商品マスタＤＢ
０１１３  デジタルコンテンツ利用権管理ＤＢ
０２０１  利用権取得グループ生成処理部
０２０２  利用権取得履歴管理処理部
０２０３  利用権取得要求受付処理部
０２０４  利用権提供判定処理部
０２０５  利用権配信要求送信処理部
０２０６  商品マスタテーブル
０２０７  共有利用制約マスタテーブル
０２０８  端末使用制限マスタテーブル
０２０９  募集管理テーブル
０２１０  応募管理テーブル
０２１１  利用権管理テーブル
【図１】
2010198228.tif 000003
【図２】
2010198228.tif 000004
【図３】
2010198228.tif 000005
【図４】
2010198228.tif 000006
【図５】
2010198228.tif 000007
【図６】
2010198228.tif 000008
【図７】
2010198228.tif 000009
【図８】
2010198228.tif 000010
【図９】
2010198228.tif 000011
【図１０】
2010198228.tif 000012
【図１１】
2010198228.tif 000013
【図１２】
2010198228.tif 000014
【図１３】
2010198228.tif 000015
【図１４】
2010198228.tif 000016
【図１５】
2010198228.tif 000017
【図１６】
2010198228.tif 000018
【図１７】
2010198228.tif 000019
【図１８】
2010198228.tif 000020
【図１９】
2010198228.tif 000021
【図２０】
2010198228.tif 000022
【図２１】
2010198228.tif 000023
【図２２】
2010198228.tif 000024
【図２３】
2010198228.tif 000025
【図２４】
2010198228.tif 000026
【図２５】
2010198228.tif 000027
【図２６】
2010198228.tif 000028
【図２７】
2010198228.tif 000029
【図２８】
2010198228.tif 000030
【図２９】
2010198228.tif 000031
【図３０】
2010198228.tif 000032
【図３１】
2010198228.tif 000033
【図３２】
2010198228.tif 000034